(57)【特許請求の範囲】
【請求項１】
撮影時に所定の検出方式で得られる合焦位置を調整するための補正値を設定可能な撮像装置であって、
前記所定の検出方式による焦点検出に用いられる複数の焦点調節領域の中から、撮影時に選択可能な焦点調節領域を限定する所定の処理を行う限定手段と、
前記焦点調節領域を示す表示を行う表示手段と、を有し、
ユーザーが前記補正値を設定する焦点調節領域を選択する際に、前記表示手段において、前記所定の処理の結果に応じて、撮影時に選択できる第１の焦点調節領域と選択できない第２の焦点調節領域とで異なる形態の表示が行われるように構成されていることを特徴とする撮像装置。
【請求項２】
ユーザーにより前記補正値を設定するための選択指示が行われた焦点調節領域が前記第１の焦点調節領域である場合と前記第２の焦点調節領域である場合とで異なる処理を行うことを特徴とする請求項１に記載の撮像装置。
【請求項３】
ユーザーによる前記補正値を設定するための焦点調節領域の選択指示に応じて、当該選択指示が行われた焦点調節領域の表示の形態が変更され、当該焦点調節領域が前記第１の焦点調節領域である場合と前記第２の焦点調節領域である場合とで変更後の表示の形態が異なることを特徴とする請求項２に記載の撮像装置。
【請求項４】
ユーザーが前記補正値を設定する焦点調節領域を選択する際に、前記第２の焦点調節領域を選択対象とするように選択指示を行った場合、当該選択指示を無効とすることを特徴とする請求項２に記載の撮像装置。
【請求項５】
ユーザーが前記補正値を設定する焦点調節領域を選択する際に、前記第１の焦点調節領域を選択対象とするように選択指示を行った場合、前記表示手段において、当該第１の焦点調節領域が選択対象であることを示す表示が行われることを特徴とする請求項４に記載の撮像装置。
【請求項６】
前記複数の焦点調節領域のうち前記第１の焦点調節領域に設定される焦点調節領域の少なくとも一部が異なる複数のモードを備え、
前記限定手段は、前記複数のモードの中から選択されたモードに応じて、前記所定の処理を行うことを特徴とする請求項１乃至５のいずれか１項に記載の撮像装置。
【請求項７】
前記補正値は、前記所定の検出方式で得られる合焦位置と、前記所定の検出方式と異なる検出方式で得られる合焦位置との差分に基づいて算出されることを特徴とする請求項１乃至６のいずれか１項に記載の撮像装置。
【請求項８】
前記所定の検出方式は、位相差検出方式であって、
前記補正値は、前記位相差検出方式で得られる合焦位置と、コントラスト検出方式で得られる合焦位置との差分に基づいて算出されることを特徴とする請求項１乃至７のいずれか１項に記載の撮像装置。
【請求項９】
前記補正値は、ユーザーにより手動で変更可能であることを特徴とする請求項１乃至８のいずれか１項に記載の撮像装置。
【請求項１０】
撮影時に所定の検出方式で得られる合焦位置を調整するための補正値を設定可能な撮像装置であって、
前記所定の検出方式による焦点検出に用いられる複数の焦点調節領域の中から、撮影時に選択可能な焦点調節領域を限定する所定の処理を行う限定手段と、
表示手段に対して前記焦点調節領域の表示を制御する制御手段と、を有し、
ユーザーが前記補正値を設定する焦点調節領域を選択する際に、前記制御手段は、前記所定の処理の結果に応じて、撮影時に選択できる第１の焦点調節領域と選択できない第２の焦点調節領域とで焦点調節領域の表示形態を異ならせるように制御することを特徴とする撮像装置。
【請求項１１】
前記制御手段は、ユーザーにより前記補正値を設定するための選択指示が行われた焦点調節領域が前記第１の焦点調節領域である場合と前記第２の焦点調節領域である場合とで異なる処理を行うことを特徴とする請求項１０に記載の撮像装置。
【請求項１２】
ユーザーによる前記補正値を設定するための焦点調節領域の選択指示に応じて、前記制御手段は、当該選択指示が行われた焦点調節領域の表示の形態を変更し、当該焦点調節領域が前記第１の焦点調節領域である場合と前記第２の焦点調節領域である場合とで変更後の表示の形態を異ならせるように制御することを特徴とする請求項１１に記載の撮像装置。
【請求項１３】
ユーザーが前記補正値を設定する焦点調節領域を選択する際に、前記第２の焦点調節領域を選択対象とするように選択指示を行った場合、前記制御手段は、当該選択指示を無効とすることを特徴とする請求項１１に記載の撮像装置。
【請求項１４】
ユーザーが前記補正値を設定する焦点調節領域を選択する際に、前記第１の焦点調節領域を選択対象とするように選択指示を行った場合、前記制御手段は、当該第１の焦点調節領域が選択対象であることを示す表示を行うように制御することを特徴とする請求項１３に記載の撮像装置。
【請求項１５】
前記複数の焦点調節領域のうち前記第１の焦点調節領域に設定される焦点調節領域の少なくとも一部が異なる複数のモードを備え、
前記限定手段は、前記複数のモードの中から選択されたモードに応じて、前記所定の処理を行うことを特徴とする請求項１０乃至１４のいずれか１項に記載の撮像装置。
【請求項１６】
前記補正値は、前記所定の検出方式で得られる合焦位置と、前記所定の検出方式と異なる検出方式で得られる合焦位置との差分に基づいて算出されることを特徴とする請求項１０乃至１５のいずれか１項に記載の撮像装置。
【請求項１７】
前記所定の検出方式は、位相差検出方式であって、
前記補正値は、前記位相差検出方式で得られる合焦位置と、コントラスト検出方式で得られる合焦位置との差分に基づいて算出されることを特徴とする請求項１０乃至１６のいずれか１項に記載の撮像装置。
【請求項１８】
前記補正値は、ユーザーにより手動で変更可能であることを特徴とする請求項１０乃至１７のいずれか１項に記載の撮像装置。
【請求項１９】
撮影時に所定の検出方式で得られる合焦位置を調整するための補正値を設定可能な撮像装置の制御方法であって、
前記所定の検出方式による焦点検出に用いられる複数の焦点調節領域の中から、撮影時に選択可能な焦点調節領域を限定する所定の処理を行う限定ステップと、
表示手段に対して前記焦点調節領域の表示を制御する制御ステップと、を有し、
ユーザーが前記補正値を設定する焦点調節領域を選択する際に、前記制御ステップにおいて、前記所定の処理の結果に応じて、撮影時に選択できる第１の焦点調節領域と選択できない第２の焦点調節領域とで焦点調節領域の表示形態を異ならせるように制御することを特徴とする撮像装置の制御方法。
【発明の詳細な説明】
【技術分野】
【０００１】
本発明は、位相差ＡＦ（オートフォーカス）方式などにより検出された合焦位置を補正する機能を有する撮像装置などに関するものである。
【背景技術】
【０００２】
従来、位相差ＡＦで合焦させる一眼レフカメラは、使用していると、レンズやカメラ本体各々の耐久性により合焦位置と認識される位置が変化し、当初より合焦精度が落ちることがあった。レンズの場合、正しい合焦位置へレンズ駆動するはずが、耐久性によるガタが発生して、レンズ停止位置がずれてしまう場合が考えられる。カメラ本体の場合、位相差検出方式で用いるミラーが駆動されているうちにミラーの角度が変化していき、ＡＦセンサへの被写体光の入り方が変化して正しい合焦位置からずれた位置を合焦位置だと認識してしまう場合が考えられる。上記の場合、ユーザーはカメラをサービスセンターへ持って行くことなく、合焦位置を元の状態に戻すための手段が最近の撮像装置には搭載されつつある。
【０００３】
また、位相差ＡＦによる合焦位置検出においては、撮影時の光源や被写体の色や種類などの影響により、正しい合焦位置を検出できない場合がある。この様な問題が発生する場合は、使用する環境に応じて位相差ＡＦにより検出された合焦位置を補正することが考えられる。その際に、位相差ＡＦによる焦点調節領域（ＡＦフレーム）が複数ある構成では、ＡＦフレーム毎に補正が必要な場合などがある。しかし補正する箇所が多くなると、補正が必要となる度にその都度時間をかけて個別に補正を行うのは現実問題として難しい。よって、ユーザーは、自分が使用したいＡＦフレームに合わせて補正を行いたい。特許文献１では、位相差ＡＦの合焦位置を、コントラスト検出方式を用いて自動で補正できる機能（ＡＦキャリブレーション）が開示されている。ここで、補正値は焦点距離ごとに持つことができる。
【先行技術文献】
【特許文献】
【０００４】
【特許文献１】特開２０００−２９２６８４号公報
【発明の概要】
【発明が解決しようとする課題】
【０００５】
しかしながら、上述の特許文献の技術には、位相差ＡＦに係るＡＦフレームが複数ある場合、撮影時にＡＦフレームの選択の限定処理を行った際に位相差ＡＦによる合焦位置の補正に使用するＡＦフレームを如何に選択するかの制御技術がない。
【０００６】
よって、本発明の目的は、撮影時の設定で選択ＡＦフレームの限定処理がされていた場合は、ＡＦ補正処理時にも、選択できないフレームの表示を、選択できるフレームとは異なる表示にする。または、ＡＦ補正処理用のＡＦフレームでも、撮影時の限定処理で選択可能とされたＡＦフレームしか選択できないようにする。そうすることにより、ユーザーにとって操作し易い快適なＡＦ補正処理機能が搭載された撮像装置を提供できる。
【課題を解決するための手段】
【０００７】
上記目的を達成するために、撮影時に所定の検出方式で得られる合焦位置を調整するための補正値を設定可能な第１の本発明の撮像装置は、前記所定の検出方式による焦点検出に用いられる複数の焦点調節領域の中から、撮影時に選択可能な焦点調節領域を限定する所定の処理を行う限定手段と、前記焦点調節領域を示す表示を行う表示手段と、を有する。ユーザーが前記補正値を設定する焦点調節領域を選択する際に、前記表示手段において、前記所定の処理の結果に応じて、撮影時に選択できる第１の焦点調節領域と選択できない第２の焦点調節領域とで異なる形態の表示が行われるように構成される。また、撮影時に所定の検出方式で得られる合焦位置を調整するための補正値を設定可能な第２の本発明の撮像装置は、前記所定の検出方式による焦点検出に用いられる複数の焦点調節領域の中から、撮影時に選択可能な焦点調節領域を限定する所定の処理を行う限定手段と、表示手段に対して前記焦点調節領域の表示を制御する制御手段とを有する。ユーザーが前記補正値を設定する焦点調節領域を選択する際に、前記制御手段は、前記所定の処理の結果に応じて、撮影時に選択できる第１の焦点調節領域と選択できない第２の焦点調節領域とで焦点調節領域の表示形態を異ならせるように制御する。
【発明の効果】
【０００８】
本発明によれば、合焦位置の補正ないし調整可能なＡＦフレームの数が多い場合でも、ユーザーに快適な補正値の設定をさせることが可能になる。また、実際の撮影で選択できないＡＦフレームでは、ＡＦキャリブレーションもできないようにすることで、誤った補正値でＡＦを行うことを防げることができる。
【図面の簡単な説明】
【０００９】
【図１】ミラーダウン時及びミラーアップ時の撮像装置である一眼レフデジタルカメラの内部構造を示す垂直断面図。
【図２】実施例に係る撮像装置の構成を示すブロック図。
【図３】実施例のＡＦキャリブレーションのフローチャート。
【図４】実施例におけるＡＦフレーム限定処理のフローチャート。
【図５】実施例におけるＡＦフレーム限定処理画面の例を示す図。
【図６】実施例１のＡＦキャリブレーションのＡＦフレーム選択のフローチャート。
【図７】実施例におけるＡＦキャリブレーションのＡＦフレーム選択画面の例を示す図。
【図８】実施例におけるキャリブレーション処理のフローチャート。
【図９】実施例におけるＴＶＡＦのフローチャート。
【図１０】実施例におけるＡＦキャリブレーションモード選択の画面例を示す図。
【図１１】実施例におけるキャリブレーション調整のフローチャート。
【図１２】実施例におけるキャリブレーション調整の画面例を示す図。
【図１３】実施例２のＡＦキャリブレーションのＡＦフレーム選択のフローチャート。
【発明を実施するための形態】
【００１０】
本発明の特徴は、所定の検出方式で得られる合焦位置を調整する補正値を設定可能な撮像装置で、撮影時のＡＦフレーム選択について限定処理された場合は、キャリブレーションのＡＦフレームの選択時に、該限定に対応するＡＦフレーム表示にすることである。すなわち、選択できるＡＦフレームと、選択できないＡＦフレームとで異なる表示にしたり、該限定と同じ限定を適用して表示したりする。同じ限定を適用して表示する場合、選択可能なＡＦフレームと選択不可能なＡＦフレームとで異なる表示をしておいて、限定処理により選択不可のＡＦフレームは選択表示できないようにする（後述の実施例２参照）ことができる。しかし、これに限定されず、例えば、次の様にすることもできる。すなわち、全ＡＦフレームを同じ表示にしておいて、限定処理により選択不可のＡＦフレームは、たとえ選択したとしても、選択表示できないようにすることもできる。
【００１１】
以下、本発明の実施例を、添付の図面に基づいて詳細に説明する。
（実施例１）
本発明の実施例１として、レンズ交換可能なデジタル一眼レフカメラシステムについて説明する。図１（ａ）、図１（ｂ）は本実施例の撮像装置であるカメラの概略断面図である。レンズ本体１内に収容された撮像光学系１０は、１つ又は複数のレンズ群から構成され、その全てもしくは一部を移動させることで焦点距離（ズーム位置）やフォーカス位置（焦点調節状態）を変化させることができる。レンズ駆動手段１１は、撮像光学系１０のレンズの全てもしくは一部を移動させて焦点調節状態を調整する駆動手段である。レンズ駆動手段１１は、例えばＤＣモータやステッピングモータによって構成され、マイクロコンピュータ４０の制御によって、レンズ本体１内に収容されたフォーカスレンズの位置を変化させることでピントを合わせる。レンズ状態検出手段１２は、撮像光学系１０の焦点距離即ちズーム位置、及びフォーカス位置を検出する検出手段である。レンズ制御手段１３は、ＲＯＭ等で構成されたレンズ記憶手段１４を含むレンズ本体１全体の制御を司る制御手段である。接点１５は、レンズ本体１及びカメラ本体２に具備された接点であり、互いに装着された状態では接点１５を介して各種の情報の通信や電源の供給が行われる。
【００１２】
主ミラー２０は、ハーフミラーで構成され、カメラの動作状態に応じて回動可能であり、被写体をファインダーで観察する時は図１（ａ）に記載の通り、撮影光路へ斜設され、レンズ本体１からの光束を折り曲げて後述のファインダー光学系へ導く。撮影時やライブビュー時は図１（ｂ）に記載の通り、撮影光路から退避して、レンズ本体１からの光束を後述の撮像素子２４へ導く。サブミラー２１は、主ミラー２０とともに回動し、主ミラー２０が撮影光路へ斜設される時に図１（ａ）に記載の通り、主ミラー２０を透過した光束を折り曲げて後述のＡＦセンサ２２（焦点検出回路１０９内に配置）へ導く。撮影時やライブビュー時は図１（ｂ）に記載の通り、主ミラー２０とともに回動して撮影光路から退避する。ＡＦセンサ２２は、２次結像レンズや複数のＣＣＤまたはＣＭＯＳからなるエリアセンサ等から構成され、公知の方法である位相差方式で焦点検出を行う。すなわち、ＡＦセンサ２２は、レンズ本体１や後述のメカ制御手段４０とともに、位相差検出方式によるオートフォーカス機能（１、１０、２２、４０）を実行する手段を構成している。
【００１３】
シャッター２３は、レンズ本体１からの光束を後述の撮像素子２４に入射制御するためにあり、通常は図１（ａ）に記載の通り閉じた状態で、撮影時やライブビュー時に図１（ｂ）に記載の通り開いた状態となる。撮像素子２４は、イメージセンサとその周辺回路で構成されている。撮像素子２４には、イメージセンサＣＣＤやＣＭＯＳセンサなどが用いられ、撮像光学系１０によって結像された被写体像を電気信号に変換する。ピント板３０は、レンズ本体１の一次結像面に配置され、入射面には集光レンズが設けられ、射出面には被写体像（ファインダー像）が結像する。ペンタプリズム３１は、ファインダー光路を変更するもので、ピント板３０の射出面に結像した被写体像を正立正像に補正する。接眼レンズ３２は、ユーザーがファインダーをのぞいた時、目に合わせて視度を調節できるような構成になっている。ピント板３０、ペンタプリズム３１、接眼レンズ３２により構成されている光学系を、ファインダー光学系と称する。ＡＥセンサ３３は、多分割された撮像領域内の各領域に対応したフォトダイオードから構成され、ピント板３０の射出面に結像した被写体像の輝度を測定する。
【００１４】
メカ制御手段４０は、カメラ部の制御とカメラ全体の制御を行うマイクロコンピュータ（中央処理装置；ＭＰＵ）である。レンズ本体１に対してＡＦ補正、レンズ駆動、絞り駆動などのレンズ制御も行う。デジタル制御手段４１は、画像データの各種制御を行うメモリコントローラ（ＩＣＵ）である。このデジタル制御手段４１は、撮像素子２４で撮影された画像のコントラスト検出を行い合焦位置を判定するコントラスト方式の焦点検出手段を含んで構成することができる。つまり、デジタル制御手段４１は、レンズ本体１やメカ制御手段４０とともに、コントラスト検出方式によるオートフォーカス機能を実行する手段を構成している。カメラ記憶手段４２は、本ＡＦ補正システムで各種制御を行うための設定、調整データ等を格納している。
【００１５】
ＴＦＴや有機ＥＬなどを用いた表示部材である液晶モニタ４３は、撮影した画像や各種の撮影情報を表示するものである。記録媒体５０は、メモリカードやハードディスクなどの画像データを記録するものである。この記録媒体５０は、カメラ本体に対して着脱可能である。なお、図１（ａ）、図１（ｂ）には不図示であるが、ＳＥＴボタンとキャンセルボタンが設けられている。液晶モニタ４３にＳＥＴボタン表示がされている場合、このＳＥＴボタンを押すことで、決定や選択等の操作ができる。また、液晶モニタ４３にキャンセルボタン表示がされている場合、このキャンセルボタンを押すことで、１つ前の状態に戻る、特定のモードを終了する等の操作ができる。
【００１６】
本実施例に係る撮像装置の構成を示すブロック図である図２を用いて更に説明する。図２では、図１中の部分と同等の部分は同一番号で示す。図２において、１０３は絞り、１０４は、絞り１０３を駆動する絞り駆動部である。駆動されるべき量はマイクロコンピュータ４０によって算出され、光学的な絞り値を変化させる。１０７は、主ミラー駆動回路でマイクロコンピュータ４０の制御によって主ミラー２０を駆動する。１０９は焦点検出回路である。ミラー２０の中央部を透過し、サブミラー２１で反射された光束は、焦点検出回路１０９の内部に配置された光電変換を行うためのＡＦセンサ２２に至る。フォーカス演算に用いるデフォーカス量は、ＡＦセンサ２２の出力を演算することによって求められる。マイクロコンピュータ４０は演算結果を評価してレンズ制御手段であるＡＦ駆動回路１３に指示し、フォーカスレンズを駆動させる。
【００１７】
１１１はシャッター駆動回路であり、フォーカルプレーンシャッター２３を駆動する。シャッターの開口時間はマイクロコンピュータ４０によって制御される。１１５はＡ／Ｄ変換器である。Ａ／Ｄ変換器１１５は撮像素子２４のアナログ出力信号をデジタル信号に変換する。１１６は映像信号処理回路であり、ゲートアレイなどのロジックデバイスにより実現される。１１７は表示駆動回路である。１２１はコンピュータ等と接続可能な外部インターフェイスである。１２２はバッファメモリである。
【００１８】
映像信号処理回路１１６は、デジタル化された画像信号に、フィルター処理、色変換処理、ガンマ処理を行い、現像データを作成すると共に、ＪＰＥＧなどの圧縮処理を行い、メモリコントローラ４１に出力する。また、映像信号処理回路１１６は、バッファメモリ１２２上の２つ以上の現像データの加算や、現像データから諧調を高ビット化した高精度データの生成や、またその両方の処理を同時に実施し、結果をバッファメモリ１２２に書き戻すことが可能である。さらに、映像信号処理回路１１６は、撮像素子２４からの映像信号や、メモリコントローラ４１から逆に入力される画像信号を、表示駆動回路１１７を通して表示部材４３に出力することも可能である。これらの機能切り替えはマイクロコンピュータ４０の指示により行われる。映像信号処理回路１１６は、必要に応じて撮像素子２４の信号の露出情報やホワイトバランスなどの情報をマイクロコンピュータ４０に出力することが可能である。それらの情報を基にマイクロコンピュータ４０はホワイトバランスやゲイン調整の指示を行う。連続撮影動作の場合においては、一旦、未処理画像のままバッファメモリ１２２に撮影データを格納し、メモリコントローラ４１を通して未処理の画像データを読み出し、映像信号処理回路１１６にて画像処理や圧縮処理を行い、連続撮影を行う。連像撮影枚数は、バッファメモリの大きさに左右される。メモリコントローラ４１では、映像信号処理回路１１６から入力された未処理のデジタル画像データをバッファメモリに格納し、処理済みのデジタル画像データをメモリ４２に格納する。また、逆にバッファメモリ１２２やメモリ４２から画像データを映像信号処理回路部１１６に出力する。メモリ４２は取り外し可能である場合もある。メモリコントローラ４１は、コンピュータ等と接続可能な外部インターフェイス１２１を介してメモリ４２に記憶されている画像を出力可能である。特に、映像信号処理回路１１６は、撮像光学系１０や撮像素子２４などとともに、ライブビュー機能を実行する手段を構成している。
【００１９】
１２４は撮影操作部材である。撮影操作部材１２４は、マイクロコンピュータ４０にその状態を伝え、マイクロコンピュータ４０はその操作部材の変化に応じて各部をコントロールする。１２５はスイッチ１（以後ＳＷ１とも記す）、１２６はスイッチ２（以後ＳＷ２とも記す）である。スイッチＳＷ１とスイッチＳＷ２は、レリーズボタンの操作でオンオフするスイッチであり、それぞれ操作部材１２４の入力スイッチのうちの１つである。スイッチＳＷ１のみオンの状態はレリーズボタン半押し状態であり、この状態でオートフォーカスの動作を行うと共に、測光動作を行う。スイッチＳＷ１、ＳＷ２が共にオンの状態はレリーズボタンの全押し状態であり、画像を記録するためのレリーズボタンオン状態である。この状態で撮影が行われる。またスイッチＳＷ１、ＳＷ２がオンし続けている間は、連続撮影動作が行われる。操作部材１２４には、他に、メインスイッチ、撮影モードダイアル、メニューボタン、セットボタン、再生スイッチ、撮影や再生に関する情報表示ボタンなどのスイッチが接続されており、スイッチの状態が検出されている。また、メニューや再生画像移動のための移動＋（プラス）ボタンや移動−（マイナス）ボタンも接続することができ、これらの機能により、回転ダイアルスイッチを備えることによって、より軽快に数値や機能を選択することが可能となる。１２７は液晶駆動回路、１２８は外部液晶表示部材、１２９はファインダー内液晶表示部材である。液晶駆動回路１２７は、マイクロコンピュータ４０の表示内容命令に従って、文字、画像を用いて動作状態やメッセージ等を表示する外部液晶表示部材１２８やファインダー内液晶表示部材１２９を駆動する。また、ファインダー内液晶表示部材１２９には、不図示のＬＥＤなどのバックライトが配置されており、そのＬＥＤも液晶駆動回路１２７で駆動される。マイクロコンピュータ４０は撮影前に設定されているＩＳＯ感度、画像サイズ、画質に応じた、画像サイズの予測値データをもとに、メモリコントローラ４１を通して、メモリの容量を確認した上で撮影可能残数を演算することができる。必要に応じて外部液晶表示部材１２８、ファインダー内液晶表示部材１２９にも表示することができる。１３０は不揮発性メモリで、カメラに電源が入れられていない状態でも、データを保存することができる。１３１は、各ＩＣや駆動系に必要な電源を供給する電源部である。
【００２０】
次に、キャリブレーション処理の例を図３に示すフローチャートを用いて説明する。当該処理は、メカメラ記憶手段４２に記憶されたキャリブレーションプログラムをカ制御手段４０が実行することにより実施される。ステップＳ４０１において、レンズ本体１とカメラ本体２の通信によりレンズ情報を取得しステップＳ４０２へ進む。ここでレンズ情報は、レンズＩＤ、レンズ名、シリアル番号を含む。また、ここでは、レンズ情報を、レンズ本体１とカメラ本体２の通信により取得しているが、事前に通信を行いカメラ記憶手段（４２）に記憶したものを利用しても良い。ステップＳ４０２において、ステップＳ４０１で取得したレンズ情報に対応する補正値などを含むキャリブレーション情報をカメラ記憶手段４２から取得しステップＳ４０３ヘ進む。ここで、レンズ情報に対応するキャリブレーション情報がない場合には、カメラに付けられているレンズはキャリブレーションを新規に行うレンズとみなされる。
【００２１】
ステップＳ４０３において、キャリブレーションを行う焦点調節領域であるＡＦフレームの選択をユーザーにさせステップＳ４０４ヘ進む。ステップＳ４０３においてＡＦフレーム選択を行う処理は、図６、図７を用いて後述する。ステップＳ４０４では、カメラ本体２に付けられているレンズ本体１がズームレンズか単焦点レンズかの判断を行う。ステップＳ４０４でズームレンズと判断されたならステップＳ４０５に進み、単焦点レンズと判断されたならステップＳ４０６へと進む。ステップＳ４０５において、望遠端の選択を行わせる。望遠端の選択は、ズーム処理がカメラからの命令により可能なものは、カメラからの望遠端にする命令をカメラ本体２とレンズ本体１との間の通信により行い、カメラが自動的にレンズを駆動させる。ズーム処理を手動でしか行えない場合は、ユーザーに手動で望遠端にすることを促す画面を表示し、ユーザーに、手動でレンズを駆動し望遠端にさせる。ステップＳ４０５の処理を終えたなら、ステップＳ４０６に進む。
【００２２】
ステップＳ４０６において、キャリブレーションの処理を行う。ステップＳ４０６のキャリブレーション処理については、図８、図９、図１０を用いて後述する。ステップＳ４０７において、ステップＳ４０６で演算されたキャリブレーション結果をユーザーが微調整する。演算結果が満足の行くものであれば、ユーザーは微調整を行わなくてよい。ステップＳ４０７における微調整の方法は図１１を用いて後述する。この様に、本実施例では、補正値は、ユーザーが手動で設定可能でもある。
【００２３】
ステップＳ４０７の処理を終えたなら、ステップＳ４０８に進む。ステップＳ４０８において、ズームレンズか単焦点レンズか否かの判断を行う。判断方法はステップＳ４０４と同じである。ステップＳ４０８においてズームレンズと判断されたなら、ステップＳ４０９に進み、単焦点レンズと判断されたならステップＳ４１１へと進む。ステップＳ４０９において、レンズの広角端のキャリブレーションも行ったか否かを判断する。広角端のキャリブレーションも行った場合はステップＳ４１１に進み、行っていない場合はステップＳ４１０に進む。ステップＳ４１０において、広角端の選択を行わせる。ステップＳ４０５で望遠端の選択を行わせたのと同等の処理を行う。ステップＳ４１０の処理を終えたなら、ステップＳ４０６に進む。ステップＳ４１１において、ステップＳ４０６及びステップＳ４０７の処理により得られたキャリブレーション結果をカメラ記憶手段４２に記憶する。
【００２４】
本実施例において、ステップＳ４０５の望遠端の選択処理を先に実施し、ステップＳ４１０の広角端の処理を後に実施したが、順番はどちらが先でもよい。また、キャリブレーション結果をカメラ記憶手段４２に記憶する処理を、望遠端のキャリブレーション結果と広角端のキャリブレーション結果の両方が出てから行っているか、片方のキャリブレーション結果が出た時点でカメラ記憶手段４２に記憶してもよい。
【００２５】
次にＡＦフレームの限定処理の例を、図４に示すフローチャート、図５に示す画面例を用いて説明する。ＡＦフレームの限定処理とは、撮影時に使用可能な位相差ＡＦを行うＡＦフレームが多いカメラに備えられている機能である。例えば、ＡＦフレームが４５点備えられているカメラであると、ユーザーは、頻繁に使用するＡＦフレームを撮影時に即座に選択することが困難なことがある。よって、ＡＦフレームの限定処理（選択可能なＡＦフレーム以外のＡＦフレームを操作部材で選択しようとしても選択表示できなくする処理）を行うことにより、頻繁に使用するＡＦフレームを撮影時に素早く選択することが可能になる。
【００２６】
図４のステップＳ５０１において、メニューでの設定画面のＡＦフレーム限定画面を液晶モニタ４３に表示する。ＡＦフレーム限定画面とは図５の６０１のような画面である。ステップＳ５０２において、ユーザーはＡＦフレームの限定項目を選択する。限定項目には、例えば、図５の６０２〜６０５に示すような項目がある。図５にあげた項目は一例であり、ＡＦフレームを限定するような項目であれば何であっても構わない。６０２「限定しない（全てのＡＦフレームを使用）」は、ＡＦフレームの限定を行わず、全てのＡＦフレームを選択できることを表す項目である。６０３「クロスＡＦフレームのみ」は、クロスセンサーが用いられているＡＦフレームのみを選択できることを表す項目である。６０４「２１点のみ」は、複数備えられたＡＦフレームの中から２１点のみを選択できることを表す項目である。６０６「９点のみ」は、複数のＡＦフレームの中から９点のみを選択できることを表す項目である。ステップＳ５０２において、項目を選択したならば、ステップＳ５０３において、選択した項目の情報をカメラ記憶手段４２に記憶する。
【００２７】
次に、ＡＦキャリブレーション処理において、ＡＦフレーム選択を行う処理を、図６に示すフローチャート、図７に示す画面例を用いて説明する。この説明は図３のステップＳ４０３の処理を詳しく説明したものである。図６のステップＳ７０１において、キャリブレーション処理に使用するＡＦフレームの選択を開始する。ステップＳ７０２において、ＡＦフレームの限定がされているか否かを判定する。ＡＦフレームの限定処理とは、図４、図５を用いて前述した処理のことである。ステップＳ７０２においてＡＦフレームの限定処理がされていると判定されたならば、ステップＳ７０４に進む。ステップＳ７０２においてＡＦフレームの限定処理がされていないと判定されたならば、ステップＳ７０３に進む。
【００２８】
ステップＳ７０３においては、全てのＡＦフレームを表示する処理を行う。全てのＡＦフレームを表示すると、例えば図７の８０１のような画面になる。ステップＳ７０４においては、限定されて撮影時に選択不可のＡＦフレームの表示を変更する。例えば図７の８０２のような画面になる。図８の８０５は、撮影時には選択不可のＡＦフレームを表す表示である。８０５の例では、点線を用いたが、表示に変化があることが認識できればどのような表示でも構わない。他には、色を変更する、点滅する、線を細くする、などの識別表示が考えられる。ステップＳ７０３、ステップ７０４の処理を終えたなら、ステップＳ７０５に進む。
【００２９】
ステップＳ７０５において、ユーザーはＡＦキャリブレーション処理を行うＡＦフレームを選択する。撮影時に頻繁に使用するＡＦフレームが決まっているユーザーは、その頻繁に使用するＡＦフレームに該当するＡＦフレームを選択し、ＡＦキャリブレーションを行うと、より良い精度の結果が得られる可能性が高い。ステップＳ７０５においてＡＦフレームを選択する際に、ステップＳ７０３及びステップＳ７０４の処理により、撮影時に使用するＡＦフレームと、使用しないＡＦフレームの見分けがつくようになっている。よって、ユーザーはＡＦキャリブレーションを行うＡＦフレームを迷うことなく素早く選択することができる。
【００３０】
ステップＳ７０５の処理が終わったならば、ステップＳ７０６に進む。ステップＳ７０６において、選択したＡＦフレームは、撮影時のＡＦフレーム限定がされて選択不可フレームかそうでないかを判定する。ステップＳ７０６においてＡＦフレームの限定処理がされていると判定されたならば、ステップＳ７０８に進む。ステップＳ７０６においてＡＦフレームの限定処理がされていないと判定されたならば、ステップＳ７０７に進む。ステップＳ７０７では、Ｓ７０５で選択したＡＦフレームに通常選択時のフォーカスを当てる（つまり、点灯したり色を変えたりする）。例えば、図８の８０４のような実線表示にする。他方、ステップＳ７０８では、Ｓ７０５で選択したＡＦフレームは、撮影時に選択不可のＡＦフレームであることを表す表示にする。例えば、図８の画面８０３中の８０６のような点線表示にする。ステップＳ７０９において、選択したＡＦフレームでキャリブレーション処理を行うことを決定したならば、選択したＡＦフレームの情報をカメラ記憶手段４２に記憶する。
【００３１】
次に、ＡＦキャリブレーションにおいてキャリブレーションを行う処理を、図８、図９に示すフローチャート、図１０に示す画面例を用いて説明する。この説明は図３のステップＳ４０６の処理を詳しく説明したものである。このフローに入る前に、被写体を決めておく作業が必要であるので、被写体を決めたところで、キャリブレーションをスタートさせる。図８のステップＳ９０１において、ライブビューを開始する。次に、ステップＳ９０２において、ライブビューで表示されている画像を拡大する。拡大は行わなくても構わないが、拡大により、ステップＳ９０６におけるコントラスト検出方式のＡＦ動作、またはステップＳ９０９におけるマニュアル操作によるピント合わせを行う際に、より精度よく行える。
【００３２】
ステップＳ９０３において、ライブビューを用いたピント合わせを行う際に、コントラスト検出方式による自動ピント合わせモード１１０２に設定されているか、ユーザーが手動でピント合わせを行う半自動モード１１０３に設定されているかを判定する。コントラスト検出方式による自動ピント合わせモード１１０２とユーザーが手動でピント合わせを行うモード１１０３の設定は、図１０に表されている画面例のようなメニュー画面により行う。図１０において、１１０１は設定画面を表す。１１０２「全自動モード（ＴＶＡF）」は、キャリブレーション処理にコントラスト検出方式による自動ピント合わせ（以下、ＶＡＦとも記す）を使用することを表す。１１０３「半自動モード」は、キャリブレーション処理にユーザーが手動でピント合わせ（以下、マニュアルフォーカスとも記す）を行うことを表す。
【００３３】
ステップＳ９０３において、ＴＶＡＦを使用すると判定された場合は、ステップＳ９０４に進む。マニュアルフォーカスを使用すると判定された場合は、ステップＳ９０７に進む。ステップＳ９０４において、レンズ本体１との通信によりレンズ情報を取得する。ここでレンズ情報は、レンズスイッチ（ＡＦ／ＭＦ切り替えスイッチ）の情報である。また、ここでは、レンズ情報をレンズ本体１とカメラ本体２の通信により取得しているが、事前に通信を行いカメラ記憶手段４２に記憶したものを利用しても良い。取得したレンズ情報により、レンズスイッチがＡＦになっているかＭＦになっているかを判定する。レンズスイッチがＡＦの場合はステップＳ９０６に進み、レンズスイッチがＭＦの場合はステップＳ９０５でレンズスイッチをＡＦにしてからステップＳ９０６に進む。レンズスイッチはカメラが自動で変更する場合と、ユーザーが手動で変更する場合が考えられるが、レンズスイッチをＡＦにする操作をユーザーが行う場合は、液晶モニタ４３にレンズスイッチをＡＦに変更する旨のメッセージを表示する。ステップＳ９０６において、ＴＶＡＦを行う。ステップＳ９０６のＴＶＡＦ処理については、図９を用いて後述する。ステップＳ９０６において、ＴＶＡＦを行ったならば、ステップＳ９１０に進む。
【００３４】
ステップＳ９０７において、レンズ本体１との通信によりレンズ情報を取得する。ここでレンズ情報は、レンズスイッチの情報である。ここでも、レンズ情報をレンズ本体１とカメラ本体２の通信によりレンズ情報を取得しているが、事前に通信を行いカメラ記憶手段４２に記憶したものを利用しても良い。取得したレンズ情報により、レンズスイッチがＡＦになっているかＭＦになっているかを判定する。レンズスイッチがＭＦの場合はステップＳ９０９に進み、レンズスイッチがＡＦの場合はステップＳ９０８でレンズスイッチをＭＦにしてからステップＳ９０９に進む。レンズスイッチはカメラが自動で変更する場合と、ユーザーが手動で変更する場合が考えられるが、レンズスイッチをＭＦにする操作をユーザーが行う場合は、液晶モニタ４３にレンズスイッチをＭＦに変更する旨のメッセージを表示する。ステップＳ９０９において、ユーザーはレンズのピントリングをまわすことにより、ライブビュー上でピント合わせを行う。ステップＳ９０２で画像を拡大にしたことにより、ユーザーはピント合わせ操作をより快適に精度良く行うことができる。ステップＳ９０９において、マニュアルによるピント合わせを行ったならば、ステップＳ９１０に進む。
【００３５】
ステップＳ９１０において、メカ制御手段４０はそのときのレンズ状態検出手段１２からの位置情報を、レンズ制御手段１３を通じて得て、合焦位置情報を作成する。ステップＳ９１１において、メカ制御手段１３が、ＡＦセンサ２２に位相差ＡＦによる焦点検出を行わせる。そして、そのときの検出結果、すなわち焦点ずれ量（デフォーカス量）をフォーカスレンズの合焦方向への駆動量に換算した値を、レンズ状態検出手段１２からのフォーカス位置情報に加えて合焦位置情報を作成し、ステップＳ９１２へ進む。ステップＳ９１２において、メカ制御手段４０が、デジタル制御手段４１により合焦判定されたときの合焦位置情報と、ＡＦセンサ２２による検出結果から得られた合焦位置情報との差分である合焦位置補正値を、デジタル制御手段４１に算出させる。その後、ステップＳ９１３へ進む。ステップＳ９１３において、デジタル制御手段４１に算出された合焦位置補正値をカメラ記憶手段４２に記憶させ、処理を終了する。
【００３６】
次にＴＶＡＦについて、図９に示すフローチャートを用いて説明する。この説明は図８のステップＳ９０６の処理を詳しく説明したものである。ステップＳ１００１において、メカ制御手段４０がレンズ制御手段１３に信号を送り、レンズ駆動手段１１を通じてフォーカスレンズを所定位置に移動させ、ステップＳ１００２へ進む。ステップＳ１００２において、撮像素子２４から得られる画像信号のコントラストをデジタル制御手段４１に検出させ、ステップＳ１００３へ進む。ステップＳ１００３において、所定回数Ｎに達するまで、Ｓ１００１でのフォーカスレンズの微小移動とＳ１００２でのコントラスト検出とを繰り返し行わせる。所定回数に達したらステップＳ１００４へ進む。所定回数に達しなければＳ１００１へ進む。ステップＳ１００４において、デジタル制御手段４１が、Ｎ個のコントラスト検出結果のうち最もコントラストの高い画像信号が得られたフォーカス位置を合焦位置と判定し、メカ制御手段４０に信号を送る。メカ制御手段４０はそのときのレンズ状態検出手段１２からの位置情報を、レンズ制御手段１３を通じて得て、合焦位置情報を作成する。
【００３７】
次にキャリブレーション結果の調整について、図１１に示すフローチャート、図１２に示す画面例を用いて説明する。この説明は図３のステップＳ４０７の処理を詳しく説明したものである。ステップＳ１２０１において、キャリブレーション結果の表示をする。図１２の１３０１が画面例である。１３０１は画面全体を表し、１３０２は調整結果を表示するスケールである。キャリブレーション結果が表示されたなら、ステップＳ１２０２に進む。ステップＳ１２０２において、ユーザーは調整結果が満足のいくものかどうかの確認をする。満足がいくものであればステップＳ１２０４に進み、改善の余地があると判断すれば、ステップＳ１２０３に進む。ステップＳ１２０３において、ユーザーは１３０２に表示されているスケールを動かすことで微調整を行う。１３０３が元のスケールを表し、１３０４が移動先のスケールを表す。微調整が終了したならば、ステップＳ１２０４に進む。ステップＳ１２０４において、キャリブレーション調整結果の決定をする。ＯＫボタン１３０５を選択することにより決定をする。
【００３８】
以上に説明した実施例１では、図６のステップＳ７０５において、ＡＦフレームを選択する際に、ステップＳ７０３及びステップＳ７０４の処理により、撮影時に使用するＡＦフレームと使用しないＡＦフレームの見分けがつく様になっている。従って、ユーザーはＡＦキャリブレーションを行うＡＦフレームを迷うことなく素早く選択することが可能である。また、撮影時に使用しないＡＦフレームを選択してしまったとしても、通常のフォーカス（識別表現）とは異なる表現をすることにより、選択間違いに気づき易くなり、操作ミスを防ぎ易くすることが可能である。
【００３９】
（実施例２）
実施例２を説明する。本実施例では、図６のステップＳ７０７、ステップＳ７０８のＡＦフレームの選択について、実施例１とは異なる。この点を図１３を用いて説明する。図１３で説明する以外については実施例１と同じとする。図１３において、ステップＳ１４０１〜ステップＳ１４０５及びステップＳ１４０９については、図６のステップＳ７０１〜ステップＳ７０５及びステップＳ７０９と同じであるので、説明を省略する。
【００４０】
ステップＳ１４０６において、選択したＡＦフレームは、撮影時のＡＦフレーム限定がされて選択不可フレームかそうでないかを判定する。ステップＳ１４０６においてＡＦフレームの限定処理がされていると判定されたならば、ステップＳ１４０８に進む。ステップＳ１４０６においてＡＦフレームの限定処理がされていないと判定されたならば、ステップＳ１４０７に進む。ステップＳ１４０７では、選択しようとしていたＡＦフレームにフォーカスを当て、新たな選択ＡＦフレームとする。処理を終えたなら、ステップＳ１４０９に進む。ステップＳ１４０８では、選択しようとしていたＡＦフレームは撮影時の限定で選択不可とされているＡＦフレームであるので、フォーカスは元のＡＦフレームのままとする。つまり、選択可能なＡＦフレーム以外のＡＦフレームを選択しようとしても選択表示できない。処理を終えたなら、ステップＳ１４０９に進む。
【００４１】
実施例２では、ＡＦフレームを選択する際に、ステップＳ１４０７及びステップＳ１４０８の処理により、撮影時に使用しないＡＦフレームは選択できないようになっている。よって、ユーザーはＡＦキャリブレーションを行うＡＦフレームを迷うことなく素早く選択することが可能である。
【００４２】
なお、上述した実施形態の処理は、各機能を具現化したソフトウェアのプログラムコードを記録した記憶媒体をシステム或いは装置に提供してもよい。そして、そのシステム或いは装置のコンピュータ（又はＣＰＵやＭＰＵ）が記憶媒体に格納されたプログラムコードを読み出し実行することによって、前述した実施形態の機能を実現することができる。この場合、記憶媒体から読み出されたプログラムコード自体が前述した実施形態の機能を実現することになり、そのプログラムコードを記憶した記憶媒体は本発明を構成することになる。このようなプログラムコードを供給するための記憶媒体としては、例えば、フロッピィ（登録商標）ディスク、ハードディスク、光ディスク、光磁気ディスクなどを用いることができる。或いは、ＣＤ−ＲＯＭ、ＣＤ−Ｒ、磁気テープ、不揮発性のメモリカード、ＲＯＭなどを用いることもできる。また、コンピュータが読み出したプログラムコードを実行することにより、前述した各実施形態の機能が実現されるだけではない。そのプログラムコードの指示に基づき、コンピュータ上で稼動しているＯＳ（オペレーティングシステム）などが実際の処理の一部又は全部を行い、その処理によって前述した実施形態の機能が実現される場合も含まれている。さらに、記憶媒体から読み出されたプログラムコードが、コンピュータに挿入された機能拡張ボードやコンピュータに接続された機能拡張ユニットに備わるメモリに書きこまれてもよい。その後、そのプログラムコードの指示に基づき、その機能拡張ボードや機能拡張ユニットに備わるＣＰＵなどが実際の処理の一部又は全部を行い、その処理によって前述した実施形態の機能が実現される場合も含むものである。
【００４３】
以上、本発明の好ましい実施形態について説明したが、本発明はこれらの実施形態に限定されず、その要旨の範囲内で種々の変形及び変更が可能である。
【符号の説明】
【００４４】
１０・・撮影光学系、１３・・レンズ制御手段、２４・・撮像素子、４０・・メカ制御手段（オートフォーカス機能を実行する手段）、１１６・・映像信号処理回路（ライブビュー機能を実行する手段）、８０４、８０５、８０６・・ＡＦフレーム（焦点調節領域）
【図１】
0005827491.tif 000002
【図２】
0005827491.tif 000003
【図３】
0005827491.tif 000004
【図４】
0005827491.tif 000005
【図５】
0005827491.tif 000006
【図６】
0005827491.tif 000007
【図７】
0005827491.tif 000008
【図８】
0005827491.tif 000009
【図９】
0005827491.tif 000010
【図１０】
0005827491.tif 000011
【図１１】
0005827491.tif 000012
【図１２】
0005827491.tif 000013
【図１３】
0005827491.tif 000014